(57)【特許請求の範囲】
【請求項１】
ページごとに異なるコード化パターンが形成された複数のノート用紙を有し、表紙に属性を識別するためのコード化パターンが設けられるノートと、
コード化パターンを読み取り、コード化パターンに関する情報を記入情報として送信する電子ペンと、
前記電子ペンから記入情報を受信して所定の処理を行うコンピュータ装置とを備えるノート管理システムであって、
前記コンピュータ装置は、
前記電子ペンから送信される記入情報を受信する通信手段と、
前記属性を識別するためのコード化パターンが設けられた領域に、前記電子ペンによる記入の操作がなされることによって、前記通信手段により受信された記入情報に基づいて、前記属性に対応する情報をノートファイルに設定する属性設定手段と、
前記属性設定手段により前記属性に対応する情報が設定された状態で、前記属性を識別するためのコード化パターンが前記電子ペンによって読み取られることによって前記通信手段に受信された前記記入情報に基づいて、前記属性を特定する属性特定手段と、
前記ノート用紙に対して前記電子ペンによる記入の操作がなされることによって前記通信手段に受信された前記記入情報に基づいて、ストロークを描画するとともに、前記ストロークを、前記属性特定手段により特定された前記属性に対応する前記ノートファイルに記憶させるストローク描画手段と
を備えることを特徴とするノート管理システム。
【請求項２】
前記ノートには、複数の異なる属性を示すためのシールが貼付されており、各シールには、各々を識別するための文字又は記号と、属性に応じて異なるコード化パターンとが形成され、さらに前記属性に対応する情報を記入するための領域が設けられており、
前記複数のシールから特定のシールを選択して前記表紙に貼付するとともに、前記領域に電子ペンで記入することで、当該ノートと前記属性に対応する情報との対応付けが可能であることを特徴とする請求項１に記載のノート管理システム。
【請求項３】
記入文字に基づいてストロークを認識し、文字認識処理を施して文字情報を出力する文字認識手段をさらに備え、
前記属性設定手段は、前記属性を識別するためのコード化パターンに対して前記電子ペンによる記入の操作がなされることによって、前記通信手段が受信した記入情報に基づいて前記文字認識手段から出力された文字情報を、前記属性に対応する情報として前記ノートファイルに設定することを特徴とする請求項１又は２に記載のノート管理システム。
【請求項４】
前記ストローク描画手段は、描画したストロークをノート用紙のページに応じて前記ノートファイルに記憶させることを特徴とする請求項１〜３のうちいずれか一項に記載のノート管理システム。
【請求項５】
前記コンピュータ装置は、
前記属性特定手段によりノートの属性が特定されている状態で、前記通信手段により前記ノート用紙に係る記入情報を受信した場合に、前記ノート用紙のページに応じてノートファイルを開いてディスプレイに表示させ、前記属性特定手段によりノートの属性が特定されていない状態で、前記通信手段により前記ノート用紙に係る記入情報を受信した場合に、属性を識別するためのコード化パターンを前記電子ペンで読み取るよう促す出力をさせる情報処理手段をさらに備えることを特徴とする請求項１〜４のうちいずれか一項に記載のノート管理システム。
【請求項６】
請求項１〜５のうちいずれか一項に記載の前記ノート管理システムにおける前記コンピュータ装置として機能させることを特徴とするプログラム。
【請求項７】
ページごとに異なるコード化パターンが形成された複数のノート用紙を有し、表紙に属性を識別するためのコード化パターンが設けられるノートであって、
複数の異なる属性を示すためのシールが貼付されており、各シールには、各々を識別するための文字又は記号と、属性に応じて異なるコード化パターンとが形成され、さらに前記属性に対応する情報を記入するための領域が設けられており、
前記複数のシールから特定のシールを選択して前記表紙に貼付するとともに、前記領域に電子ペンで記入することで、当該ノートと前記属性に対応する情報との対応付けが可能であることを特徴とするノート。
【請求項８】
ページごとに異なるコード化パターンが形成された複数のノート用紙を有し、表紙に属性を識別するためのコード化パターンが設けられるノートであって、
前記属性を識別するためのコード化パターンに電子ペンで記入することにより、その記入内容を、前記属性に対応する情報としてコンピュータ装置に設定することができ、
前記属性に対応する情報が設定された状態で、前記属性を識別するためのコード化パターンを前記電子ペンに読み取らせることで、前記コンピュータ装置に前記属性を認識させ、前記ノート用紙に対して前記電子ペンによる記入の操作がなされることにより、その記入内容が、前記属性のノートに記入された内容として記憶されることを特徴とするノート。
【発明の詳細な説明】
【技術分野】
【０００１】
本発明は、電子ペンによりノートに記入された内容を記憶するシステムにおいて、複数のノートを適切に管理することが可能な、コンピュータ装置及びプログラム、並びにノートに関する。
【背景技術】
【０００２】
記入した情報を電子化する電子ペンが開発されており、その代表的なものとしてスウェーデンのAnoto社が開発した「アノトペン（Anoto  pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像等の記入情報が認識される。そして、この記入情報が、データ通信ユニットによりアノトペンから近くのパーソナルコンピュータや携帯電話等のコンピュータ装置に送信される（例えば、特許文献１参照）。また、ドットパターンに対向する電子ペン１の角度に起因するドットの画像上の配列を補正する回転補正処理機能については、例えば特許文献２に記載されている。
【０００３】
このような電子ペンやコンピュータ装置等で構成されるシステムを用いて、ユーザが、ノートに設けられた行確認マークを通る線を記入すると、サーバがその線に応じて段落エリアを設定する技術が、特許文献３に開示されている。
【先行技術文献】
【特許文献】
【０００４】
【特許文献１】特許第３８４２２８３号公報
【特許文献２】特表２００３−５２９８５３号公報
【特許文献３】特開２００９−１５１８０３号公報
【発明の概要】
【発明が解決しようとする課題】
【０００５】
ノートの用紙にドットパターンを形成し、用紙に電子ペンで記入して、コンピュータ装置で記入したストロークを保存し管理したい場合に複数のノートが存在する場合、コンピュータ装置は、これらの複数のノートを適切に管理して、例えば電子ペンの記入対象はいずれのノートであるか等を適切に認識する必要がある。
【０００６】
本発明は、このような状況に鑑みてなされたものであり、電子ペンによりノートに記入された内容を記憶するシステムにおいて、複数のノートを適切に管理することを目的とする。
【課題を解決するための手段】
【０００７】
本発明に係るノート管理システムは、ページごとに異なるコード化パターンが形成された複数のノート用紙を有し、表紙に属性を識別するためのコード化パターンが設けられるノートと、コード化パターンを読み取り、コード化パターンに関する情報を記入情報として送信する電子ペンと、前記電子ペンから記入情報を受信して所定の処理を行うコンピュータ装置とを備えるノート管理システムであって、前記コンピュータ装置は、前記電子ペンから送信される記入情報を受信する通信手段と、前記属性を識別するためのコード化パターンが設けられた領域に、前記電子ペンによる記入の操作がなされることによって、前記通信手段により受信された記入情報に基づいて、前記属性に対応する情報をノートファイルに設定する属性設定手段と、前記属性設定手段により前記属性に対応する情報が設定された状態で、前記属性を識別するためのコード化パターンが前記電子ペンによって読み取られることによって前記通信手段に受信された前記記入情報に基づいて、前記属性を特定する属性特定手段と、前記ノート用紙に対して前記電子ペンによる記入の操作がなされることによって前記通信手段に受信された前記記入情報に基づいて、ストロークを描画するとともに、前記ストロークを、前記属性特定手段により特定された前記属性に対応する前記ノートファイルに記憶させるストローク描画手段とを備えることを特徴とする。
【０００８】
この構成によれば、ユーザは、属性を識別するためのコード化パターンが設けられた領域に、電子ペンで記入すると、電子ペンは、記入に応じてコード化パターンを読み取り、コード化パターンに関する情報を記入情報として送信する。コンピュータ装置の通信手段は、電子ペンから送信される記入情報を受信し、属性設定手段は、その記入情報に基づいて、上記属性に対応する情報をノートファイルに設定する。さらに、ユーザは、属性を識別するためのコード化パターンを電子ペンに読み取らせると、電子ペンは、そのコード化パターンを読み取り、コード化パターンに関する情報を記入情報として送信する。コンピュータ装置の通信手段は、電子ペンから送信される記入情報を受信し、その記入情報に基づいて、上記属性を特定する。その後、ユーザが、ノート用紙に電子ペンで記入すると、電子ペンは、記入に応じてノート用紙に形成されたコード化パターンを読み取り、コード化パターンに関する情報を記入情報として送信する。コンピュータ装置の通信手段は、電子ペンから記入情報を受信し、ストローク描画手段は、その記入情報に基づいて、ストロークを描画するとともに、ストロークを、属性特定手段により特定された属性に対応する上記ノートファイルに記憶させる。したがって、ユーザは、属性に対応する情報を電子ペンで記入することでコンピュータ装置に設定することができるとともに、属性を識別するためのコード化パターンを電子ペンで読み取らせて、コンピュータ装置に属性を特定させて、その属性に対応するノートファイルにストロークを記憶させることができるため、複数のノートを適切に管理することができる。
【０００９】
上記ノート管理システムにおいて、前記ノートには、複数の異なる属性を示すためのシールが貼付されており、各シールには、各々を識別するための文字又は記号と、属性に応じて異なるコード化パターンとが形成され、さらに前記属性に対応する情報を記入するための領域が設けられており、前記複数のシールから特定のシールを選択して前記表紙に貼付するとともに、前記領域に電子ペンで記入することで、当該ノートの属性が設定可能であるよう構成するとよい。
この構成により、ユーザは、ノートに貼付されている複数のシールから、シールに付されている文字又は記号を参照に区別して、特定のシールを選択して表紙に貼付するとともに、当該領域に電子ペンで属性に対応する情報を記入することで、当該ノートの属性に対応する情報をコンピュータ装置に設定することができる。また、コンピュータ装置に、ノートの属性を特定するために、ノートの表紙に貼付したシールに形成されたコード化パターンを電子ペンに読み取らせるとよい。
【００１０】
上記ノート管理システムにおいて、記入文字に基づいてストロークを認識し、文字認識処理を施して文字情報を出力する文字認識手段をさらに備え、前記属性設定手段は、前記属性を識別するためのコード化パターンに対して前記電子ペンによる記入の操作がなされることによって、前記通信手段が受信した記入情報に基づいて前記文字認識手段から出力された文字情報を、前記属性に対応する情報として前記ノートファイルに設定するよう構成するとよい。
この構成により、ユーザが、属性を識別するためのコード化パターンに対して電子ペンで記入することによって、文字認識手段は、通信手段によって受信した記入情報に基づいて、ストロークを認識し、文字認識処理を施して文字情報を出力する。さらに、属性設定手段は、その文字情報を、属性に対応する情報としてノートファイルに設定する。したがって、属性を識別するためのコード化パターンに対して電子ペンで記入した文字が文字認識されて、属性に対応する情報としてノートファイルに設定することができる。
【００１１】
また、上記ノート管理システムにおいて、前記ストローク描画手段は、描画したストロークをノート用紙のページに応じて前記ノートファイルに記憶させるよう構成するとよい。
この構成により、ストローク描画手段により描画されたストロークは、ノート用紙のページに応じてノートファイルに記憶されるため、ユーザが実際のノートと同じ感覚でノートファイルを利用することができる。
【００１２】
また、上記ノート管理システムにおいて、前記コンピュータ装置は、前記属性特定手段によりノートの属性が特定されている状態で、前記通信手段により前記ノート用紙に係る記入情報を受信した場合に、前記ノート用紙のページに応じてノートファイルを開いてディスプレイに表示させ、前記属性特定手段によりノートの属性が特定されていない状態で、前記通信手段により前記ノート用紙に係る記入情報を受信した場合に、属性を識別するためのコード化パターンを前記電子ペンで読み取るよう促す出力をさせる情報処理手段をさらに備えるよう構成するとよい。
この構成により、属性特定手段によりノートの属性が特定されている状態で、ユーザがノート用紙に電子ペンで記入すると、通信手段はノート用紙に係る記入情報を受信し、情報処理手段は、ノート用紙のページに応じてノートファイルを開いてディスプレイに表示させる。その一方、属性特定手段によりノートの属性が特定されていない状態で、ユーザがノート用紙に電子ペンで記入すると、通信手段はノート用紙に係る記入情報を受信し、情報処理手段は、属性を識別するためのコード化パターンを電子ペンで読み取るよう促す出力をさせる。したがって、属性が特定されていない場合に、ユーザに、属性を識別するためのコード化パターンを電子ペンで読み取るよう促すことができる。
【００１３】
また、本発明に係るプログラムは、上記ノート管理システムにおける前記コンピュータ装置として機能させることを特徴とする。このプログラムをコンピュータ装置にインストールして実行させることにより、ノート管理システムのコンピュータ装置を実現することができる。
【００１４】
また、本発明に係るノートは、ページごとに異なるコード化パターンが形成された複数のノート用紙を有し、表紙に属性を識別するためのコード化パターンが設けられるノートであって、複数の異なる属性を示すためのシールが貼付されており、各シールには、各々を識別するための文字又は記号と、属性に応じて異なるコード化パターンとが形成され、さらに前記属性に対応する情報を記入するための領域が設けられており、前記複数のシールから特定のシールを選択して前記表紙に貼付するとともに、前記領域に電子ペンで記入することで、当該ノートの属性が設定可能であることを特徴とする。
この構成により、ユーザは、ノートに貼付されている複数のシールから、シールに付されている文字又は記号を参照に区別して、特定のシールを選択して表紙に貼付するとともに、当該領域に電子ペンで属性に対応する情報を記入することで、当該ノートの属性に対応する情報をコンピュータ装置に設定することができる。また、コンピュータ装置に、ノートの属性を特定するために、ノートの表紙に貼付したシールに形成されたコード化パターンを電子ペンに読み取らせるとよい。
【００１５】
また、本発明に係るノートは、ページごとに異なるコード化パターンが形成された複数のノート用紙を有し、表紙に属性を識別するためのコード化パターンが設けられるノートであって、前記属性を識別するためのコード化パターンに電子ペンで記入することにより、その記入内容を、前記属性に対応する情報としてコンピュータ装置に設定することができ、前記属性に対応する情報が設定された状態で、前記属性を識別するためのコード化パターンを前記電子ペンに読み取らせることで、前記コンピュータ装置に前記属性を認識させ、前記ノート用紙に対して前記電子ペンによる記入の操作がなされることにより、その記入内容が、前記属性のノートに記入された内容として記憶されることを特徴とする。
この構成により、ユーザは、属性を識別するためのコード化パターンに電子ペンで記入して、属性に対応する記入内容を情報としてコンピュータ装置に設定し、コンピュータ装置に属性を認識させるとともに、ノート用紙に対して電子ペンによる記入の操作を行うことで、その記入内容を該当する属性のノートに記入された内容として記憶することができる。また、コンピュータ装置に、ノートの属性を識別するために、ノートの表紙に設けられたコード化パターンを電子ペンに読み取らせるとよい。
【発明の効果】
【００１６】
本発明によれば、電子ペンによるノートの記載内容をストロークとして描画して、ノートファイルに格納するシステムにおいて、複数のノートの各々についての複数のノートファイルを適切に管理することができる。
【図面の簡単な説明】
【００１７】
【図１】本実施形態におけるノート管理システムのシステム構成図である。
【図２】本実施形態におけるノートの１枚目を開いた様子を示す模式図である。
【図３】本実施形態におけるノートの表紙の表面を示す模式図である。
【図４】ドットパターンにおけるドットの配置と変換される値との関係を示す説明図である。
【図５】（Ａ）は、ドットパターンを模式的に示し、（Ｂ）は、それに対応する情報の例を示す図である。
【図６】電子ペンの構造を示す概略図である。
【図７】コンピュータ装置の機能ブロック図である。
【図８】コンピュータ装置の処理フローを示すフローチャートである。
【図９】コンピュータ装置の処理フローで出力手段に表示される画像の例を示す図である。
【図１０】コンピュータ装置の処理フローで出力手段に表示される画像の例を示す図である。
【図１１】コンピュータ装置の処理フローで出力手段に表示される画像の例を示す図である。
【図１２】コンピュータ装置の処理フローで出力手段に表示される画像の例を示す図である。
【図１３】ノートのノート用紙に電子ペンで記入される手書きのストロークの例を示す図である。
【図１４】コンピュータ装置の処理フローで出力手段に表示されるストロークの例を示す図である。
【発明を実施するための形態】
【００１８】
以下、図面を参照しながら、本発明の実施形態について説明する。
【００１９】
［ノート管理システムの構成］
図１は、本実施形態に係るノート管理システム１０の構成を示す。図１に示すように、本実施形態に係るノート管理システム１０は、電子ペン１と、ｎ冊のノート２−１〜２−ｎと、コンピュータ装置３とを有する。
なお、以下、ノート２−１〜２−ｎを個々に区別する必要がない場合、これらをまとめて単に「ノート２」と呼ぶ。
【００２０】
ユーザは、ドットパターンが印刷されたノート２の各ページに対して、電子ペン１で手書きのストロークを記入することができる。電子ペン１からの記入情報は、Bluetooth（登録商標）により、コンピュータ装置３に無線送信される。なお、電子ペン１のさらなる詳細については、図６等を用いて後述する。
【００２１】
コンピュータ装置３は、パーソナルコンピュータ（Personal  computer）等で構成され、電子ペン１からの記入情報を受信すると、当該記入情報に基づいて、ノート２上に手書きで記入されているものと同様のストロークを描画して記録するとともに、出力手段３１に表示させる。
【００２２】
ここで、ｎ冊のノート２−１〜２−ｎの所定ページの各々に対して、仮にユニークなドットパターンがそれぞれ印刷されている場合には、コンピュータ装置３は、手書きのストロークがノート２−１〜２−ｎのうちのいずれに記入されたのかを容易に認識することができる。ただし、この場合には、１冊のノート２が製作される度に、未だ割り当てられていないドットパターンの座標領域が新たに割り当てられることになる。このため、ノート２が製作されるごとに、未だ割り当てられていないドットパターンの座標領域が減少していくことになる。また、同一ページであっても、ノート２が異なれば、割り当てられたドットパターンが異なるため、ノート２ごとにドットパターンの座標領域を管理せねばならず、ノート２の製作数が増加する程、この管理が困難になっていく。
そこで、本実施形態では、未だ割り当てられていないドットパターンの座標領域の無用な減少を防止するとともに、ノート２に割り当てられたドットパターンの座標領域の管理を容易なものとすべく、図１に図示するノート２−１〜２−ｎも含め全てのノート２について、同一ページの同一位置には、同一のドットパターンが印刷されている。ただし、この場合、何らかの工夫がなされていなければ、コンピュータ装置３は、手書きのストロークがノート２−１〜２−ｎのうちのいずれに記入されたのかを認識することができない。
そこで、このような工夫として、本実施形態では、各ノート２−１〜２−ｎのそれぞれに対して、他のノート２との識別が容易に可能となるように、一意の属性（例えばユーザが受講する複数の科目のうち、任意の１つの科目）が設定される。ただし、ノート２に対して属性は予め設定されておらず、ユーザが所定のノート２を使用する際に、当該所定のノート２に対して所望の属性を与える。具体的には、当該所定のノート２には、ドットパターンが印刷されたシールが予め付加されており、ユーザは、当該シールに電子ペン１で所望の属性を示す内容を記入し、当該シールを当該所定のノート２の表紙等に貼り付けることで、当該所定のノート２に属性を与える。なお、シールへの記入と、シールの貼り付けとの順番は特に限定されない。
コンピュータ装置３は、このようにしてユーザにより与えられた属性を当該ノート２に対して設定し（より詳しくは、属性はシールに与えられ、結果として、当該シールが貼り付けられたノートにも同一の属性が設定されることになる）、その設定結果を保持する。これにより、コンピュータ装置３は、それ以降、当該ノート２を、他のノート２と区別して認識することができるようになる。
なお、如何にしてノート２を認識するのか等、コンピュータ装置３の具体的な処理については後述する。
【００２３】
［ノート］
図２は、ノート２の表紙を開いた様子を示す模式図である。
ノート２においては、表紙２１と、ｍページ分（ｍは１以上の整数値）のノート用紙２４−１〜２４−ｍとがその順番で積層するように結束されている。なお、ｋを１以上（ｍ−１）以下の奇数とするならば、ノート用紙２４−ｋ，２４−（ｋ＋１）の各々が、１枚の紙媒体（ドットパターン用紙）の表面と裏面にそれぞれ相当する。
ノート２の表紙２１が開かれると、当該表紙２１の裏面が左方に現れ、１ページ目のノート用紙２４−１が右方に現れる。
図２に示すように、ノート２の表紙２１の裏面（見返し）には剥離紙２２が設けられており、この剥離紙２２には、ユーザが属性を与えるために用いられる複数のシール２３−１〜２３−５が着脱自在に貼付されている。ここで、本実施形態では、ユーザは、とある学校の生徒であり、その学校の各授業の学習科目ごとにノート２−１〜２−ｎをそれぞれ用いるため、各授業の科目を属性として、ノート２−１〜２−ｎにそれぞれ与えるものとする。このため、シール２３−１〜２３−ｎを、以下、「科目シール２３−１〜２３−ｎ」と呼ぶ。なお、本実施形態では、５枚の科目シール２３−１〜２３−５がノート２に用意されているが、これは例示であり、ノート２に用意される科目シールの枚数は特に限定されない。
科目シール２３−１〜２３−５の各々には、番号〔１〕、〔２〕、〔３〕、〔４〕、〔５〕の各々が付されている。ユーザは、これらの番号から科目シール２３−１〜２３−５の各々を一意に視認することができるので、科目シール２３−１〜２３−５のうち所望の番号が付されたものを、剥離紙２２から剥がして、ノート２の表紙２１の表面に貼り付けることができる。
【００２４】
図３は、ノート２の表紙２１の表面を示す模式図である。
図３の例では、番号〔１〕が付された科目シール２３−１が、ノート２の表紙２１に貼り付けられている。
【００２５】
ここで、図３に示す科目シール２３−１を含め、各科目シール２３−１〜２３−５には、それぞれユニークに形成されたドットパターン（コード化パターン）が印刷されている。なお、科目シール２３に用いられる座標範囲のドットパターンは、ノート用紙２４に用いられる座標範囲とは異なる座標範囲のドットパターンである。
このため、ノート２に貼り付けられた科目シール２３−１が電子ペン１でタップ（ペン先による軽叩）されたならば、コンピュータ装置３は、タップにより電子ペン１から送信されてくる記入情報に基づいて、科目シール２３−１がタップされたことを認識することができる。
【００２６】
したがって、コンピュータ装置３は、科目シール２３−１と、それが貼り付けられたノート２との対応関係を保持すれば、科目シール２３−１がタップされると、それが貼り付けられたノート２を、他のノート２とは区別して認識することができるようになる。このような対応関係を構築するために、上述した「属性」、本実施形態では「科目」が用いられている。即ち、ユーザは、所望の科目（属性）を科目シール２３−１に割り当て、当該科目シール２３−１を、当該所望の科目の授業に用いるノート２に対して貼り付けることで、当該科目（属性）によって、科目シール２３−１と、それが貼り付けられたノート２とが対応付けられる。
【００２７】
このような科目（属性）の割り当てが可能となるように、科目シール２３−１においては、番号〔１〕の右方に、電子ペン１による科目（属性）の記入が可能となるように、空欄（図２参照）が設けられている。
具体的には図３の例では、ユーザは、科目シール２３−１が貼り付けられるノート２を、理科という科目の授業に用いる１冊目のノートであると決定すると、電子ペン１を用いて手書きで「理科Ｎｏ．１」というストローク群を記入する。ここで、同一の理科という科目であっても、１冊目と２冊目とでは、それぞれ違うノート２が用いられるため、これらを識別すべく、科目のみならず、何冊目という情報も「属性」の１種類として採用される。もちろん、理科のノートとして一冊で十分であれば、科目シール２３−１に「理科」と電子ペンで記入してもよい。
【００２８】
このようにして、電子ペン１により科目シール２３−１に対してストローク群が記入されている間、当該電子ペン１からは各記入情報が逐次コンピュータ装置３に送信される。コンピュータ装置３は、これらの各記入情報を逐次受信し、当該各記入情報に基づいてストロークを描画し、さらに当該ストローク群に対して文字認識処理を施すことで、「理科Ｎｏ．１」という日本語の文字列を認識する。
そして、コンピュータ装置３は、「理科Ｎｏ．１」という日本語の文字列を、科目シール２３−１の属性として設定する。
【００２９】
ここで、詳細については後述するが、各ノート２のノート用紙２４−１〜２４−ｍに対しても、それぞれユニークなドットパターンが印刷されている。このため、コンピュータ装置３は、ノート２のノート用紙２４−１〜２４−ｍに対して電子ペン１で記入された内容をストロークとして描画することができるため、本実施形態では、これらのストロークをノート２の単位で保持するファイル（以下、「ノートファイル」と呼ぶ）を記憶する。
ただし、第ｐページ目（ｐは、１〜ｍの範囲内の任意の整数値）のノート用紙２４−ｐに印刷されるドットパターンは、各ノート２−１〜２−ｎによらず同一である。このため、ノートファイルが単に作成されただけでは、当該ノートファイルが、各ノート２−１〜２−ｎのうちのいずれのものであるかが識別できる状態にない。
そこで、コンピュータ装置３は、科目シール２３−１が貼り付けられたノート２についてのノートファイルに対して、科目シール２３−１の属性、即ち「理科Ｎｏ．１」という属性を設定する。これにより、科目シール２３−１と、それが貼り付けられたノート２とは、「理科Ｎｏ．１」という属性により対応づけられて、その対応関係がコンピュータ装置３により保持される。
なお、ノートファイルに対する属性の設定の手法は特に限定されないが、本実施形態では、科目シール２３−１の属性、即ち「理科Ｎｏ．１」という日本語の文字列が、ノートファイルのファイル名の少なくとも一部に含まれることで、当該属性の設定がなされるものとする。
【００３０】
このような属性の設定がなされた以降、ユーザは、科目シール２３−１が貼り付けられたノート２を利用する際には、当該科目シール２３を電子ペン１でタップする。すると、コンピュータ装置３は、タップにより電子ペン１から送信されてくる記入情報に基づいて、科目シール２３−１の属性、即ち「理科Ｎｏ．１」という日本語の文字列を認識する。そして、コンピュータ装置３は、当該属性をファイル名に有するノートファイル、即ち科目シール２３−１が貼り付けられたノート２についてのノートファイルを開き、当該ノートファイルに対して読み書きをする。
【００３１】
なお、１冊目のノート２においては、科目シール２３−１が用いられたので、２冊目の別のノート２においては、科目シール２３−１とは異なる科目シール２３−２〜２３−５が科目を特定するシールとして用いられる。
【００３２】
［ドットパターン］
続いて、科目シール２３−１〜２３−５及びノート用紙２４−１〜２４−ｍに形成されるアノト方式のドットパターン（コード化パターン）について説明する。
なお、以下、科目シール２３−１〜２３−５を個々に区別する必要がない場合、これらをまとめて「科目シール２３」と呼ぶ。同様に、ノート用紙２４−１〜２４−ｍを個々に区別する必要がない場合、これらをまとめて「ノート用紙２４」と呼ぶ。
【００３３】
図４は、ドットパターンのドットとそのドットが変換される値との関係を説明する図である。図４に示すように、ドットパターンの各ドットは、その位置によって所定の値に対応付けられている。即ち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、科目シール２３やノート用紙２４上の位置座標が決定されるよう構成されている。
なお、上述したように本実施形態では、第ｐページ目にのノート用紙２４−ｐに印刷されるドットパターンは、各ノート２−１〜２−ｎによらず同一であるため、各ノート２−１〜２−ｎの第ｐページ目における位置座標は、同一位置であれば同一になる。
【００３４】
図５（Ａ）は、あるドットパターンの配列を示している。図５（Ａ）に示すように、縦横約２ｍｍの範囲内に６×６個のドットが、科目シール２３やノート用紙２４上のどの部分から６×６ドットを取ってもユニークなパターンとなるように配置されている（ただし、本実施形態ではノート２−１〜２−ｎを含む全ノート２の同一ページには同一のドットパターンが配置されている）。これら３６個のドットにより形成されるドットパターンは位置座標を保持している。図５（Ｂ）は、図５（Ａ）に示す各ドットを、格子の基準位置からのシフト方向によって、図４に示す規則性に基づいて対応付けられた値に変換したものである。この変換は、ドットパターンの画像を撮影する電子ペン１によって行われる。
【００３５】
［電子ペン］
次に電子ペン１について説明する。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、インクを備えるペン先部１０３となっており、ユーザは、電子ペン１のペン先部１０３を科目シール２３やノート用紙２４上に当接させて、文字等のストローク（手書きのストローク）を記入したり、タップ（ペン先部１０３による科目シール２３やノート用紙２４への軽叩）したりする。ここで、電子ペン１のペン先部１０３が科目シール２３やノート用紙２４に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。また、電子ペン１のペンダウンからペンアップまでにペン先部１０３から科目シール２３やノート用紙２４上に流出するインクにより、ストロークと略同一軌道の軌跡が科目シール２３やノート用紙２４上に描かれる。
【００３６】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により科目シール２３やノート用紙２４に文字やマークを書いたりタップしたりする際にペン先部１０３からインクカートリッジ１０４を通じて与えられる圧力、即ち筆圧を検出し、その値をプロセッサ１０８へ伝送する。
【００３７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で科目シール２３やノート用紙２４に文字等を書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述するペンＩＤとを関連付けて、記入情報としてコンピュータ装置３へ送信する。また、ユーザが１つのストロークを記入し終えて電子ペン１を科目シール２３やノート用紙２４から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３へ送信する。
【００３８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、科目シール２３やノート用紙２４上のペン先部１０３近傍に向けて赤外線を照明する。その領域は、ペン先部１０３が科目シール２３やノート用紙２４に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図５（Ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３９】
プロセッサ１０８は、ユーザの記入が行われる間、ＣＭＯＳカメラ１０６によって供給される画像データのドットパターンから、ユーザが記入するストローク（筆跡）の科目シール２３やノート用紙２４上におけるＸ，Ｙ座標（単に「位置座標」、「座標情報」とも呼ぶ）を連続的に演算していく。即ち、プロセッサ１０８は、ＣＭＯＳカメラ１０６によって供給される、図５（Ａ）に示されるようなドットパターンの画像データを図５（Ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因するドットの画像上の配列を補正する回転補正処理機能を備えており、座標演算の際、その機能を実行させる。そして、プロセッサ１０８は、リアルタイムクロック１１０から発信される現在時刻（タイムスタンプ：記入された時刻情報）、筆圧データ及びＸ，Ｙ座標データを関連付ける。以後、これらの関連付けたデータを、まとめて「座標属性情報」と呼ぶ。なお、科目シール２３−１〜２３−５の各々における６×６のドットパターンは、他の科目シール２３やノート用紙２４内で重複することはないため、ユーザが、科目シール２３−ｑ（ｑは、１〜５のうちの任意の整数値）を電子ペン１でタップしたり文字等を記入すると、タップ又は記入された位置が、科目シール２３−１〜２３−５のうち、科目シール２３−ｑであって、かつ、科目シール２３−ｑのどの位置に当たるかを、プロセッサ１０８による座標演算により特定することができる。同様に、ノート２のノート用紙２４−１〜２４−ｍにおける６×６のドットパターンは、他のページのノート用紙２４及び科目シール２３内で重複することはないため、ユーザが、第ｐページ目のノート用紙２４−ｐにタップしたり電子ペン１で文字等を記入すると、記入された位置が、第ｐページ目のノート用紙２４−ｐであって、かつ、第ｐページ目のノート用紙２４―ｐ内のどの位置に当たるかを、プロセッサ１０８による座標演算により特定することができる。
【００４０】
ただし、本実施形態では、上述したように、各ノート２−１〜２−ｎによらず、第ｐページ目のノート用紙２４−ｐには同一のドットパターンが印刷されている。このため、電子ペン１による記入対象が第ｐページであることまでは、プロセッサ１０８による座標演算により特定することができるが、その第ｐページは各ノート２−１〜２−ｎのうちのいずれのものなのかについて、プロセッサ１０８による座標演算により特定することができない。
そこで、ユーザは、記入対象の所定のノート２をコンピュータ装置３に特定させるために、当該所定のノート２に貼り付けられた科目シール２３を電子ペン１でタップする。
即ち、上述したように、科目シール２３の空欄に電子ペン１で記入された内容、より詳細には当該内容の文字認識結果（図３の例では「理科Ｎｏ．１」という日本語の文字列）が、当該科目シール２３及びそれが貼り付けられた所定のノート２の属性として設定されている。即ち、当該属性により、当該科目シール２３とそれが貼り付けられた所定のノート２とは関連付けられている。
このため、当該属性を有する科目シール２３が電子ペン１でタップされると、コンピュータ装置３は、当該属性により関連付けられた所定のノート２を特定することができる。その後、ユーザがノート用紙２４−ｐに電子ペン１で文字等を記入すると、コンピュータ装置３は、記入された位置が、所定のノート２におけるノート用紙２４―ｐ内のどの位置に当たるかを特定することができる。
【００４１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、座標属性情報（時刻情報と、筆圧データと、Ｘ、Ｙ座標データ）とを関連付けて、記入情報としてコンピュータ装置３へ送信する。通信ユニット１１１によるコンピュータ装置３への送信は、Bluetooth（登録商標）等の無線送信によって、即時的かつ逐次的に行われる。ここで、電子ペン１のペンダウンからペンアップまでの間に生成されてコンピュータ装置３に送信された１個又は複数個の記入情報（座標属性情報）は、コンピュータ装置３によりストローク情報として記憶される。換言すると、１つのストロークは、１個又は複数個のＸ，Ｙ座標（座標点）に基づいて描画されるため、コンピュータ装置３は、ペンダウン情報及びペンアップ情報によって、１つのストロークを描画するために必要な１個又は複数個の座標属性情報を認識する。このように、ユーザの１つのストロークの記入により、電子ペン１によって生成される座標属性情報の集合を「ストローク情報」と呼ぶ。また、ペン先部１０３は、筆圧をインクカートリッジ１０４を介して圧力センサ１０７に伝達する。
【００４２】
［コンピュータ装置の構成］
次に、コンピュータ装置３の構成について説明する。
コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等を含むパーソナルコンピュータ等で構成される。
【００４３】
図７は、コンピュータ装置３の機能ブロック図である。コンピュータ装置３は、機能的には、出力手段３１、入力手段３２、通信手段３３、記憶手段３４及び処理手段３５を備える。そして、コンピュータ装置３は、電子ペン１から受信した記入情報に基づいて所定の処理を行う。
【００４４】
出力手段３１は、ディスプレイやスピーカ等によって構成され、処理手段３５によって指示された内容を画像として表示したり、音声として発声したりする。
入力手段３２は、マウスやキーボード等により構成され、ユーザの操作に応じた各種情報を入力して、処理手段３５に供給する。
通信手段３３は、アンテナ受信回路等により構成され、電子ペン１から記入情報等を受信し、処理手段３５に伝送する。
【００４５】
記憶手段３４は、ハードディスクやＲＯＭ、ＲＡＭといったメモリによって構成される。記憶手段３４は、処理手段３５の処理命令により、電子ペン１から受信した記入情報をペンＩＤごとに記憶する他、ノート２の科目シール２３の属性や、当該属性が設定されたノートファイル等の各種情報を記憶する。また、記憶手段３４は、本ノート管理システム１０で使用するプログラムや辞書データベース、ノート２の科目シール２３やノート用紙２４に形成されたドットパターンの位置座標に関する座標定義情報等を予め記憶している。そのため、ノートファイルには、ノート２のページ数に合わせてページが用意される。
【００４６】
処理手段３５は、各手段３１〜手段３４を制御して各種情報を授受することで、各種の処理を実行する。処理手段３５は、主に、情報処理手段３５１、ストローク描画手段３５２、文字認識手段３５３、属性設定手段３５４、及び属性特定手段３５５により構成される。
【００４７】
情報処理手段３５１は、後述するす各手段３５２〜３５５により実行される処理を除く、処理手段３５にとって必要な各種情報処理一般を実行する。例えば、情報処理手段３５１は、電子ペン１から送信される記入情報を通信手段３３を介して受信し、受信した記入情報を記憶手段３４に記憶させる。
【００４８】
ストローク描画手段３５２は、ノート用紙２４に記入することで電子ペン１から送信されて通信手段３３によって受信された記入情報を、例えばストローク情報の単位で用いることによって、ストロークを描画する。そして、ストローク描画手段３５２は、必要に応じて、当該ストロークを出力手段３１のディスプレイに表示させる。
【００４９】
文字認識手段３５３は、科目シール２３に記入することで電子ペン１から送信されて通信手段３３によって受信された記入情報に基づいて、ストロークを認識し、文字認識処理を施し、その文字認識の結果として、所定の国語（本実施形態では日本語）の文字列（テキスト情報）を示す情報（以下、「文字情報」と呼ぶ）を出力する（図３の例では、「理科Ｎｏ．１」という日本語の文字列）。
【００５０】
属性設定手段３５４は、文字認識手段３５３から出力された文字情報に基づいて、ノート２の科目シール２３の属性を設定する。具体的には、属性設定手段３５４は、文字情報が示す文字列によって、科目名や、事業のプロジェクト名等の属性を科目シール２３に対して設定し、その設定結果を記憶手段３４に記憶させる。
さらに、属性設定手段３５４は、当該科目シール２３が貼り付けられたノート２についてのノートファイルに対しても、当該属性を設定する。なお、ノートファイルに対する属性の設定タイミングは、特に限定されないが、本実施形態ではノートファイルの作成時であるものとする。属性設定手段３５４のノートファイルに対する属性の設定方法としては、ファイル名を、文字認識手段３５３から出力された文字情報とするとよい。
このように、ノート２に設けられた科目シール２３−１〜２３−５のうち、特定の科目シール２３（図３の例では科目シール２３−１）に対し電子ペン１により記入の操作がなさると、属性設定手段３５４により、特定された当該科目シール２３に対して所定の属性が設定される。即ち、ユーザは、当該科目シール２３に対し電子ペン１による記入の操作をするだけで、様々な種別の属性（例えばユーザが受講する複数の科目のうち、任意の１つの科目、あるいはその科目のうちのノート番号）を当該科目シール２３に自在に割り当てることができる。この場合、属性設定手段３５４により、その割り当てられた所定の属性が、当該科目シール２３に設定される。
【００５１】
そして、ユーザが、所定の属性が設定された科目シール２３をノート２に貼り付けて、当該科目シール２３を電子ペン１によりタップすると、属性特定手段３５５が機能する。
即ち、属性設定手段３５４により所定の属性が設定された科目シール２３をノート２に貼り付けた後、当該科目シール２３に対して電子ペン１によるタップの操作がなされると、属性特定手段３５５は、電子ペン１から送信され通信手段３３によって受信された記入情報に基づいて、設定された属性を特定する。
【００５２】
その後、ユーザが、電子ペン１により当該ノート２に記入の操作をすると、その記入の内容を示すストロークが、当該科目シール２３が貼り付けられたノート２に記入された内容として、当該ノート２についてのノートファイルに含められて記憶される。
【００５３】
［コンピュータ装置の処理フロー］
次に、図８を参照して、コンピュータ装置３の処理フローについて説明する。
【００５４】
先ず前提事項として、コンピュータ装置３の記憶手段３４には、ユーザが用いる電子ペン１のペンＩＤが「登録ペンＩＤ」として予め記憶されているものとする。即ち、コンピュータ装置３は、ユーザの近傍で用いられる他のユーザが用いている別の電子ペン１からの記入情報も受信する可能性があるため、登録ペンＩＤを含む記入情報（以下、「登録ペンＩＤの記入情報」と呼ぶ）のみを有効なものとして利用することを前提とする。
このような前提の下、初めに、ユーザが、所定のノート２の科目シール２３やノート用紙２４に対して、電子ペン１でタップしたり手書きのストロークを記入すると、電子ペン１は、生成した記入情報をコンピュータ装置３へ送信する。具体的には、電子ペン１は、ペンダウン時には、ペンダウン情報及びペンＩＤ（登録ペンＩＤ）を関連付けた記入情報を生成して、生成した記入情報をコンピュータ装置３へ送信する。電子ペン１は、ストロークの記入等により電子ペン１の科目シール２３やノート用紙２４への当接状態が継続すると、ドットパターンを撮像して演算した座標情報を含む座標属性情報と、ペンＩＤ（登録ペンＩＤ）とを関連付けた記入情報を連続的に生成して、コンピュータ装置３へ逐次送信する。電子ペン１は、ペンアップ時には、ペンアップ情報及びペンＩＤ（登録ペンＩＤ）を関連付けた記入情報を生成してコンピュータ装置３へ送信する。
【００５５】
コンピュータ装置３では、通信手段３３が、電子ペン１との通信可能状態となったことを契機として１回目の処理が開始され、それ以降、登録ペンＩＤの記入情報が電子ペン１から送信されてくるごとに繰り返して処理が実行される。
処理手段３５の情報処理手段３５１は、電子ペン１から送信された、登録ペンＩＤの記入情報を、通信手段３３に受信させて、記憶手段３４に記憶させる（ステップＳ１）。
【００５６】
次に、属性特定手段３５５は、ステップＳ１の処理で受信された登録ペンＩＤの記入情報に基づき、電子ペン１により記入又はタップされた対象が、科目シール２３であるのか、それとも、ノート用紙２４であるのかを特定する（ステップＳ２）。
属性特定手段３５５は、電子ペン１により記入又はタップされた対象がノート用紙２４であると判定した場合（ステップＳ２：ノート用紙）、処理をステップＳ８に進める。ただし、ステップＳ８以降の処理については後述する。
これに対して、属性特定手段３５５は、電子ペン１により記入又はタップされた対象が科目シール２３であると判定した場合（ステップＳ２：科目シール）、処理をステップＳ３に進める。
【００５７】
属性設定手段３５４は、ステップＳ２において特定されたその科目シール２３に科目等の属性が設定されているか否かを判別する（ステップＳ３）。
属性設定手段３５４は、その科目シール２３に科目等の属性が設定されていないと判別した場合（ステップＳ３：ＮＯ）、処理をステップＳ４に進める。
【００５８】
情報処理手段３５１は、ステップＳ２において特定されたその科目シール２３に科目等の属性を記入して設定するか否かを判断する（ステップＳ４）。
即ち、情報処理手段３５１は、その科目シール２３に科目等の属性を記入して設定するか否かをユーザに対して問い合わせるための画像を出力手段３１のディスプレイに表示させる。具体的には、図９に示すように、情報処理手段３５１は、「ノートの科目を設定しますか？」といったメッセージを含む画像を出力手段３１のディスプレイに表示させる。
【００５９】
図９は、ステップＳ４の処理で出力手段３１のディスプレイに表示される画像の例を示している。
図９（Ａ）に示すように、科目シール２３に科目等の属性が記入されておらず、属性が何ら設定されていない状態（ステップＳ３：ＮＯ）で、ユーザが科目シール２３に電子ペン１でタップすると、図９（Ｂ）に示すように、コンピュータ装置３の出力手段３１には、「ノートの科目を設定しますか？」といったメッセージを含む画像が表示される。
ここで、本実施形態では、入力手段３２の一構成要素としてタッチパネルが、出力手段３１のディスプレイに積層するように配置されている。このため、図９（Ｂ）に示すように、「ノートの科目を設定しますか？」といったメッセージの下方には、ユーザのタッチパネルに対する入力操作を受け付けるように、「はい」及び「いいえ」のアイコンが表示される。
ユーザが「いいえ」のアイコン（より正確には、タッチパネル内の当該アイコンに相当する位置）を指や電子ペン１でタッチすると、情報処理手段３５１は、「いいえ」のアイコンが選択されたと認識し、その科目シール２３に科目等を記入して設定することをユーザが行わないと判断して（ステップＳ４：ＮＯ）、コンピュータ装置３による処理を終了させる。
これに対して、ユーザが「はい」のアイコン（より正確には、タッチパネル内の当該アイコンに相当する位置）を指や電子ペン１でタッチすると、情報処理手段３５１は、「はい」のアイコンが選択されたと認識し、その科目シール２３に科目等を記入して設定することをユーザが行うと判断して（ステップＳ４：ＹＥＳ）、処理をステップＳ５に進める。
【００６０】
ユーザは、「はい」のアイコンをタッチした後、電子ペン１を用いて、その科目シール２３の空欄に科目等を示す手書きのストロークを記入する。情報処理手段３５１は、この間に電子ペン１から逐次送信されてくる記入情報を通信手段３３を介して受信する。文字認識手段３５３は、これらの記入情報に基づいて、その科目シール２３へのストロークを認識し、その科目シール２３へのストロークに対して文字認識処理を施し、属性設定手段３５４は、当該文字認識の結果を科目等の属性として、その科目シール２３に対して設定する（ステップＳ５）。これにより、コンピュータ装置３による処理は終了になる。
【００６１】
なお、ユーザが、図９に示す「はい」のアイコンをタッチした後、電子ペン１を用いて、その科目シール２３の空欄に手書きのストロークを記入した場合、科目等の属性が誤まって設定されるおそれがある。このようなおそれを防止すべく、ステップＳ５による科目等の属性の設定の前に、情報処理手段３５１は、図１０に示すような確認画像を出力手段３１に表示させてもよい。
【００６２】
図１０は、ステップＳ５の処理中に出力手段３１に表示される画像の例を示している。
ステップＳ２において特定されたその科目シール２３が科目シール２３−１であり、図１０（Ａ）に示すように、ユーザが、電子ペン１を用いて、科目シール２３−１の空欄に「理科Ｎｏ．１」という手書きのストロークを記入したものとする。
この場合、情報処理手段３５１は、この間に電子ペン１から逐次送信されてくる記入情報を通信手段３３を介して受信する。文字認識手段３５３は、これらの記入情報に基づいて、ストロークを認識し、当該ストロークに対して文字認識処理を施することにより、「理科Ｎｏ．１」という日本語の文字列を示す文字情報を情報処理手段３５１に供給する。
情報処理手段３５１は、当該文字情報に基づいて、図１０（Ｂ）に示すように、「ノートの科目は、〔１〕「理科Ｎｏ．１」でよろしいですか？」といったメッセージを含む確認画像を、コンピュータ装置３の出力手段３１に表示させる。
このメッセージの下方には、ユーザのタッチパネルに対する入力操作を受け付けるように、「はい」及び「取止める」のアイコンが表示される。
ユーザが「取止める」のアイコン（より正確には、タッチパネル内の当該アイコンに相当する位置）を指や電子ペン１でタッチすると、情報処理手段３５１は、「取止める」のアイコンが選択されたと認識し、属性設定手段３５４による処理を中止する。
これに対して、ユーザが「はい」のアイコンを指や電子ペン１でタッチすると、情報処理手段３５１は、「はい」のアイコンが選択されたと認識し、属性設定手段３５４による処理を許可する。すると、属性設定手段３５４は、「理科Ｎｏ．１」という日本語の文字列を科目等の属性として、その科目シール２３−１に対して設定するとともに、その科目シール２３用のノートファイルに「理科Ｎｏ．１」という文字列を登録する。これにより、ステップＳ５が終了し、コンピュータ装置３による処理も終了となる。
なお、図１０には図示しないが、ユーザの便宜のため、「修正する」のアイコンをさらに含めるようにしてもよい。この場合、ユーザが「修正する」のアイコンを指や電子ペン１でタッチすると、情報処理手段３５１は、「修正する」のアイコンが選択されたと認識し、属性設定手段３５４による処理を中止する。そして、ユーザが電子ペン１で別の科目シール２３−２（科目シール２３−１に記入された「理科Ｎｏ．１」というインクの文字が消去可能ならば、科目シール２３−１でもよい）を新たな科目シール２３として用いて、新たな内容を記入するまでの間、処理を待機する。
その後、ユーザは、新たな科目シール２３に対して新たな内容を記入した後、「はい」のアイコンを指や電子ペン１でタッチすると、情報処理手段３５１は、「はい」のアイコンが選択されたと認識し、属性設定手段３５４による処理を許可する。すると、属性設定手段３５４は、新たな内容を科目等の属性として、新たな科目シール２３に対して設定する。これにより、ステップＳ５が終了し、コンピュータ装置３による処理も終了となる。
【００６３】
このようにして科目等の属性が科目シール２３に設定された後、その科目シール２３が電子ペン１により再度タップされると、コンピュータ装置３による処理が再度開始され、ステップＳ１、ステップＳ２：科目シール、及びステップＳ３：ＹＥＳの処理が実行された後に、処理はステップＳ６に進む。
属性特定手段３５５は、ステップＳ２において特定されたその科目シール２３について、それに設定されている科目等の属性を特定する（ステップＳ６）。
さらに、属性特定手段３５５は、当該科目等の属性を有するノートファイルを特定する。
情報処理手段３５１は、このようにして特定されたノートファイルを開く（ステップＳ７）。
なお、ステップＳ６において特定された科目等の属性を有するノートファイルが存在しない場合、ステップＳ７の処理の前に、情報処理手段３５１は、新たなノートファイルを作成する。属性設定手段３５４は、当該新たなノートファイルに対して、ステップＳ６において特定された科目等の属性を設定する。そして、情報処理手段３５１は、ステップＳ７の処理として、当該新たなノートファイルを開く。
これにより、コンピュータ装置３による処理が終了する。
【００６４】
なお、ステップＳ７の処理の前に、情報処理手段３５１は、ステップＳ６の処理で特定された科目等の属性でよいか否かを確認すべく、上述した図１０（Ｂ）に示すような確認画像を出力手段３１に表示させるようにしてもよい。この場合、「はい」のアイコンが選択された場合には、処理はステップＳ７に進み、「取止める」のアイコンが選択された場合には、ステップＳ７の処理は実行されずに、コンピュータ装置３による処理が終了になる。
【００６５】
また、ステップＳ７の処理によってノートファイルが開かれた場合、情報処理手段３５１は、図１１に示すような画像を出力手段３１に表示させるとよい。
図１１は、ノートファイルが開かれた直後に出力手段３１に表示される画像の例を示している。
図１１（Ａ）に示すように、ノート２の表紙２１には科目シール２３−１が貼り付けられており、当該科目シール２３−１、及びそれが貼り付けられたノート２についてのノートファイルには、「理科Ｎｏ．１」という科目等が属性として既に設定されているものとする。
この状態で、ユーザが科目シール２３−１に対して電子ペン１でタップすると、上述したように処理はステップＳ７に進み、「理科Ｎｏ．１」という科目等が属性として既に設定されているノートファイルが開くとともに、コンピュータ装置３の出力手段３１には、図１１（Ｂ）に示すような画像が表示される。この画像には、「理科Ｎｏ．１」という日本語の文字列が含まれている。したがって、ユーザは、この図１１（Ｂ）のような画像を視認することにより、これから用いるノート２には、「理科Ｎｏ．１」という科目等が属性として設定されていることを容易に確認できる。
【００６６】
以上、ユーザの電子ペン１による操作対象が科目シール２３の場合における、コンピュータ装置３による処理について説明した。
次に、ユーザの電子ペン１による操作対象がノート用紙２４の場合における、コンピュータ装置３による処理について説明する。この場合、コンピュータ装置３による処理が開始されると、ステップＳ１、ステップＳ２：ノート用紙、の処理が実行された後に、処理はステップＳ８に進む。
【００６７】
属性特定手段３５５は、ステップＳ６の処理により、科目が特定されているか否かを判別する（ステップＳ８）。
前回までのコンピュータ装置３による処理で、ステップＳ６の処理が未だ実行されていない場合、科目が特定されていないと判断され（ステップＳ８：ＮＯ）、処理はステップＳ９に進む。
情報処理手段３５１は、科目を指定するようなアラーム表示又は音声を出力手段３１から出力させる（ステップＳ９）。これにより、コンピュータ装置３による処理は終了となる。
【００６８】
図１２は、ステップＳ９の処理で情報処理手段３５１が出力手段３１に表示させる画像の例を示している。
科目が特定されていない状態で、ユーザがノート用紙２４に電子ペン１でタップしたり手書きのストロークを記入すると、上述したように処理はステップＳ９に進み、図１２に示すように、コンピュータ装置３の情報処理手段３５１は、出力手段３１のディスプレイには、「ノートの科目を指定してください」といったメッセージを含むアラーム画像を表示させる。この時、コンピュータ装置３の情報処理手段３５１は、出力手段３１のスピーカから、「ノートの科目を指定してください」といったアラーム音声を発声させてもよい。
【００６９】
これに対して、前回までのコンピュータ装置３による処理で、ステップＳ６の処理が実行された後、即ち、科目が特定された後に、ユーザがノート用紙２４に電子ペン１でタップしたり手書きのストロークを記入すると、ステップＳ８においてＹＥＳであると判断された後に、処理はステップＳ１０に進む。
【００７０】
情報処理手段３５１は、ノート２についてのノートファイルにおいて、ステップＳ１で受信した記入情報により特定されるページを開いているか否かを判別する（ステップＳ１０）。ここで、ノートファイルは、ノート２の各ページ単位で読み書き可能に構成されている。後述する図１４に示すように、ノートファイルにおいて開かれているページ、即ち読み書き対象となっているページを示す画像は、出力手段３１に表示される。なお、図１４のように、画像は、ノート２を開いているように見開きの状態で表示されるとよい。
したがって、情報処理手段３５１は、ノートファイルにおいて読み書き対象となっているページが開かれていないと判断した場合、図１１（Ｂ）に示すような画像が出力手段３１に表示されていると判断した場合や、ステップＳ１で受信した記入情報により特定されるページとは異なるページが開かれていると判断した場合（ステップＳ１０：ＮＯ）、ステップＳ１で受信した記入情報に基づきノート用紙２４のページを特定して、当該ページを開く（ステップＳ１１）。これにより、処理はステップＳ１２に進む。
これに対して、ノートファイルにおいて、ステップＳ１で受信した記入情報により特定されるページ（読み書き対象となっているページ）が既に開いている場合、後述する図１４に示すような画像が出力手段３１に表示されている場合、情報処理手段３５１は、当該ページが開かれていると判断して（ステップＳ１０：ＹＥＳ）、ステップＳ１１の処理を実行せずに、処理をステップＳ１２に進める。
【００７１】
ストローク描画手段３５２は、記入情報から特定されるストロークを、開かれたページに描画し、記憶手段３４内のノートファイルに記憶（上書き）させる（ステップＳ１２）。これにより、コンピュータ装置３による処理は終了となる。
【００７２】
図１３は、ノート２のノート用紙２４に電子ペン１で記入される手書きのストロークの例を示している。
図１３に示すように、ユーザが所定のノート用紙２４に対して、「消化液  酵素」、「だ液  アミラーゼ」、「胃液  ペプシン」といった各種のストローク群を電子ペン１で記入することができる。この間、電子ペン１は、各記入情報を逐次コンピュータ装置３に送信する。
【００７３】
図１４は、ステップＳ１２の処理でコンピュータ装置３の出力手段３１に表示されるストロークの例を示している。
コンピュータ装置３の情報処理手段３５１は、図１３に示すように電子ペン１でノート用紙２４に対して手書きのストロークが記入されている間、逐次送信されてくる各記入情報を通信手段３３を介して受信する。
コンピュータ装置のストローク描画手段３５２は、このような各記入情報を例えばストローク情報の単位で用いて、各ストロークを描画し、ノートファイルに記憶させる（ステップＳ１２）とともに、図１４に示すような画像を出力手段３１に表示させる。
具体的には、ユーザによりノート用紙２４に対して電子ペン１で記入された手書きのストローク（図１３参照）に対応して、出力手段３１には、「消化液  酵素」、「だ液  アミラーゼ」、「胃液  ペプシン」といったストロークが、ノート用紙２４の記載位置に対応する位置に配置された画像が表示される。
【００７４】
［本実施形態による作用効果］
以上説明したように本実施形態によれば、ユーザは、ノート２の表紙の裏面（見返し）に貼付された複数の科目シール２３（図２参照）から、１つの科目シール２３を選択して、ノート２として利用したい科目名を電子ペン１で記入する（図９、図１０）。この場合、ノート番号を書き添えてもよい。これにより、選択された科目シール２３に対して、科目（属性）がコンピュータ装置３に設定される（図１０参照）。さらに、ユーザは、科目名を記入した科目シール２３を剥がし、ノート２の表紙に貼付する（図３参照）。そして、ユーザは、そのノート２にその科目について記入する前に、表紙に貼付した科目シール２３に形成されたドットパターンを電子ペン１に読み取らせて、コンピュータ装置３に、設定されたノートの科目（属性）を認識させる（図１１参照）。そのうえで、ノート２のノート用紙２４に電子ペン１で記入することによって、ノート用紙２４に記入したストロークを、電子データとして、記入したノート用紙２４のページに合わせて、コンピュータ装置３に描画させ表示させることができるとともに、記憶させることができる（図１３、図１４参照）。したがって、ユーザは、実際のノート２と同じ感覚で、コンピュータ装置３のノートファイルに、記入内容を描画、記憶させることができる。
ここで、ユーザは、ノート２ごとに、異なる科目シール２３（付された番号が異なるもの）を利用して、電子ペン１で科目名を記入することにより、コンピュータ装置３に科目（属性）を設定させて、ノート２の表紙に科目シール２３を貼付し、そのノート２にその科目について記入する前に、科目シール２３に形成されたドットパターンを電子ペン１に読み取らせて、コンピュータ装置３に、ノートの科目を認識させるため、ノート２のノート用紙２４においてページが同じであれば同じ座標範囲のドットパターンが形成されていても、コンピュータ装置３は、設定された科目（属性）の違いによって、ノート２を識別することができる。
また、ユーザは、科目シール２３に対して、科目名に限らず、任意の属性を表す用語を記入して、コンピュータ装置３に属性を設定することができ、便宜である。
また、ノート２の利用前に、科目シール２３のドットパターンが電子ペン１によって読み取られずに科目（属性）が特定されていない状態であると、ノート用紙２４に電子ペン１で記入しようとしても、科目を特定するようコンピュータ装置３が促す出力をするため（図１２参照）、利用しやすい。
【００７５】
［変形例］
なお、本発明は、上記実施形態に限られない。
上記実施形態においては、属性設定手段３５４は、当該文字認識の結果を科目等の属性として、その科目シール２３に対して設定しているがこれに限られるものではない。例えば、属性設定手段３５４は、文字認識の結果の属性として、ユーザの「学年」や、業務の「プロジェクト名」を属性として設定してもよい。
「学年」が属性として設定される場合には、コンピュータ装置３側の記憶手段３４に複数のフォルダ（記憶領域）が設けられる。そして、情報処理手段３５１は、「学年」のフォルダを特定（アクティブ）にし、特定したフォルダにおいて、ノートファイルの記憶（上書き）を行うようにすることができる。
なお、「学年」を属性として設定し特定した場合には、情報処理手段３５１は、毎年特定の月日（例えば、４月１日など期の変わり目）に、特定したフォルダとは異なるフォルダを新たに生成する。そして、情報処理手段３５１は、当該フォルダ内において、ノートファイルの記憶（上書き）を行うようにすることが好適である。
【００７６】
また、上記実施形態では、ノート２の表紙の裏面（見返し）に貼付されている、異なる番号が付された複数の科目シール２３から、１つの科目シール２３を選択して剥がし、ノート２の表紙に貼付した。その代わりに、ノート２ごとに、表紙に、ノート２を識別できるように異なる番号が付され、その番号に応じたドットパターンが形成されたエリアを設け、そのエリアに、電子ペン１で科目名を記入できるようにしてもよい。もちろん、番号の代わりに、記号等を付してもよい。また、記入する内容は、科目に、「ノート番号」や「学年」を付加してもよく、科目名の代わりに、「プロジェクト名」を記入してもよい。
【００７７】
また、上記実施形態では、ユーザにより、第ｐページ目のノート用紙２４−ｐにタップしたり電子ペン１で文字等を記入することにより、第ｐページ目のノート用紙２４−ｐが特定され、コンピュータ装置３において、該当するページが開かれて表示されている。これに加えて、コンピュータ装置３のタッチパネル上を指で移動させてページをめくる操作を検出して、めくられたページを開いて表示するようにしてもよい。
【００７８】
また、上記実施形態では、電子ペン１を用いる対象は、ノート２とされたが、特にこれに限られず、アノト式のドットパターンが印刷された任意の書き込み媒体であればよい。また、コード化パターンや、記入情報、電子ペンは、アノト方式に限られなくともよい。
【００７９】
また、上記実施形態では、科目シール２３に対する属性の設定は、当該科目シール２３に電子ペン１で記入された内容を示すストロークが文字認識された結果得られる文字情報に基づいて行われたがこれに限らない。例えば、ユーザは、科目シール２３に対して文字列以外の絵やシンボル等を電子ペン１で記入することができる。この場合、所定科目シール２３に対する属性の設定は、当該所定科目シール２３に電子ペン１で記入された内容を示すストローク自体に基づいて行われる。また、科目シール２３に対して電子ペン１で記入するストロークが文字であっても、文字認識処理を施さずに、属性を文字を描いたストローク（イメージデータ）としてもよい。
【００８０】
上述した一連の処理は、ハードウェアにより実行させることもできるし、ソフトウェアにより実行させることもできる。
【００８１】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【符号の説明】
【００８２】
１…電子ペン
２…ノート
２１…表紙
２２…剥離紙
２３…科目シール
２４…ノート用紙
３…コンピュータ装置
１０…ノート管理システム
３１…出力手段
３２…入力手段
３３…通信手段
３４…記憶手段
３５…処理手段
３５１…情報処理手段
３５２…ストローク描画手段
３５３…文字認識手段
３５４…属性設定手段
３５５…属性特定手段
【図１】
0005776382.tif 000002
【図２】
0005776382.tif 000003
【図３】
0005776382.tif 000004
【図４】
0005776382.tif 000005
【図５】
0005776382.tif 000006
【図６】
0005776382.tif 000007
【図７】
0005776382.tif 000008
【図８】
0005776382.tif 000009
【図９】
0005776382.tif 000010
【図１０】
0005776382.tif 000011
【図１１】
0005776382.tif 000012
【図１２】
0005776382.tif 000013
【図１３】
0005776382.tif 000014
【図１４】
0005776382.tif 000015